(57)【要約】　　　（修正有）【課題】簡単な作業で、用紙のジャム状態を容易に確認してジャム処理を行うことができる画像形成装置を提供する。【解決手段】内部を用紙が搬送され本体から引き出し可能な両面ユニット７、定着ユニット８内に用紙ジャム検知用のセンサ１０を配置すると共に、両面ユニット７、定着ユニット８の前面にジャム個所を表示する表示灯としてのＬＥＤが紙搬送経路に沿って配置されており，用紙ジャム時には点滅または点灯し用紙ジャムが発生した旨が表示される。【選択図】　　　　図４
2004053845.tif 000002
【特許請求の範囲】
【請求項１】
内部を用紙が搬送され本体から引き出し可能なユニット内に、用紙ジャム検知用のセンサを配置すると共に、ユニットの前面にジャム個所を表示する表示灯を配置したことを特徴とする画像形成装置。
【請求項２】
請求項１記載の画像形成装置において、センサと表示灯をバックアップするバックアップ電源をユニット内に設けたことを特徴とする画像形成装置。
【請求項３】
請求項１記載の画像形成装置において、表示灯は、ジャム発生時に原因系の箇所は点滅、用紙が残されている箇所は点灯、用紙が存在しない箇所は無点灯することを特徴とする画像形成装置。
【発明の詳細な説明】
【０００１】
【発明の属する技術分野】
本発明は、電子写真式複写機、プリンタ、ファクシミリ、あるいはこれらの機能を併用した多機能複写機等の画像形成装置に関し、特にジャム処理技術に関する。
【０００２】
【従来の技術】
画像形成装置においては、給紙部、画像形成部（転写部）、定着部、排紙部、両面モードを有する場合は両面部という一連の搬送経路を用紙が搬送されるようになっている。そして、その途中で用紙ジャムが発生すると、本体手前側上面にある操作表示部にジャム発生とその発生個所を表示するようになっている。使用者はその表示を見て、ジャム処理を行うことになる。
【０００３】
【発明が解決しようとする課題】
前述したように、画像形成装置を操作する使用者は、操作表示部に表示されるジャムの発生しているユニット及びその処理手順の情報を見ながら該当するユニットに近づいてジャム処理を行う。この操作表示部は、操作する使用者の腰よりも高い位置にあり、複数のユニットは、使用者の腰よりも低い位置にあるため、使用者にとっては、ジャム処理を行う際ジャムの発生及び終了を操作表示部で確認するとき、立ったり座ったりする必要がありその頻度が多くなると、ジャム処理に重労働が伴っていた。
【０００４】
また従来は、ジャムが発生した際、複数のユニットのうち、どのユニットでジャムが発生しているのかを操作表示部でしか確認することができなかった。また、ジャム処理が終了したか否かを確認する場合、引き出したユニットを再び装置本体に差し込んで、装置本体とユニットが正常に通電した後でなければできなかった。
【０００５】
また画像形成装置本体からそれぞれ独立して引き出せるユニット間に用紙が存在しても、ユニット間に用紙があるという表示が行えないため、誤ってユニットを引き出すことによって紙が破損することがあった。
【０００６】
そこで本発明は簡単な作業で、用紙のジャム状態を容易に確認してジャム処理を行うことができる画像形成装置を提供することを目的とする。
【０００７】
【課題を解決するための手段】
上記目的を達成するために、請求項１記載の発明は、内部を用紙が搬送され本体から引き出し可能なユニット内に、用紙ジャム検知用のセンサを配置すると共に、ユニットの前面にジャム個所を表示する表示灯を配置した画像形成装置を最も主要な特徴とする。
【０００８】
請求項２記載の発明は、請求項１記載の画像形成装置において、センサと表示灯をバックアップするバックアップ電源をユニット内に設けた画像形成装置を主要な特徴とする。
【０００９】
請求項３記載の発明は、請求項１記載の画像形成装置において、表示灯は、ジャム発生時に原因系の箇所は点滅、用紙が残されている箇所は点灯、用紙が存在しない箇所は無点灯する画像形成装置を主要な特徴とする。
【００１０】
【発明の実施の形態】
以下、図面により本発明の実施の形態を詳細に説明する。図１は本発明の実施の形態に係る画像形成装置のブロック構成図である。商用電源ＡＣ１００Ｖとの接続コンセント１、ＤＣ電源２、ＣＰＵ３、ＣＰＵ３が実行するプログラムが格納されているＲＯＭ４、ＣＰＵ３がアクセスできるＲＡＭ５、操作表示部６、画像形成に必要な両面ユニット７、定着ユニット８が示されている。
【００１１】
操作表示部６上のスイッチにおける入力信号はＣＰＵ３に送られて処理され、画像形成装置の状態がＣＰＵ３から操作表示部６に送られて表示される。両面ユニット７、定着ユニット８は入出力インターフェイスを介してＣＰＵ３につながっている。従ってＣＰＵ３は各ユニットの状態を監視することができる。
【００１２】
図２はジャム検知・ジャム状態表示ユニットの回路図である。ジャム検知・ジャム状態表示ユニットは、両面ユニット７、定着ユニット８にあって用紙Ｐに対向した位置に設置する。
【００１３】
ジャム検知・ジャム状態表示ユニットは、センサ１０、抵抗１１、ＬＥＤ１２、コンデンサ（または充電可能な電池）１３、ＬＥＤ点滅回路１４、内部コネクタ１５を備える。
【００１４】
通常時、電源は内部コネクタ１５を通して本体から送られてきて、センサ１０からの信号は本体に送られる。センサ１０は両面ユニット７、定着ユニット８内の紙搬送経路の複数箇所に置かれ、用紙が通るたびにセンサ１０はこれを検知しＬＥＤ１２が点灯し、ＣＰＵ３に信号を送る。
【００１５】
あるタイミングでセンサ１０が用紙を検知しなければ、センサ１０からの信号によりＣＰＵ３は、このセンサ１０の手前でジャムが生じたと判断してＬＥＤ１２を点滅させる信号をＬＥＤ点滅回路１４に送りＬＥＤ１２を点滅させると共に、紙搬送を停止させる。
【００１６】
ジャム発生時に他の箇所のセンサ１０上に用紙が残っていれば、ＬＥＤ１２が点灯し続け、ＣＰＵ３に信号を送り続ける。ＣＰＵ３はある一定期間この信号を入力されると、送られてきた箇所に用紙が残っていると判断し、操作表示部６にジャム発生の表示を行うよう指令する。
【００１７】
図３は前カバードアを開けた状態の画像形成装置の外観図である。機内でジャムが発生すると、操作表示部６にジャムが発生した旨とその対象のユニットが表示される。これを見た使用者は画像形成装置の本体２０の前カバードア２１を開けてジャム処理を行う。
【００１８】
両面ユニット７、定着ユニット８の前面（手前面）には、ジャム表示灯としてのＬＥＤ１２が紙搬送経路に沿って配置されており、ジャム時には上述のように、点滅または点灯する。
【００１９】
使用者はそのＬＥＤ１２の状態を見て、ジャムが発生したユニットを本体２０から引き出し、ジャム処理を行う。その際本体２０と接続されている内部コネクタ１５が外れ電源が切断される。しかしジャム検知・ジャム状態表示ユニットは、コンデンサ１３またはバッテリを備えているので、引き出された際にもジャム箇所を使用者に表示することができる。ジャム処理が完了したらＬＥＤ１２を消灯し使用者に完了したことを知らせる。
【００２０】
図４は両面ユニットと定着ユニットの概略図である。両面ユニット７、定着ユニット８は共に紙搬送経路に複数のセンサ１０を設けている。両面モードの場合、用紙Ｐは定着ユニット８から両面ユニット７に搬送されるが、ジャム発生時両面ユニット７の入り口部のセンサ１０と、定着ユニット８の出口部のセンサ１０の双方にまたがるようにして用紙Ｐがあれば、双方のセンサ１０によってこれが検知される。そしてＬＥＤ１２によってその旨、点灯、点滅表示される。
【００２１】
【発明の効果】
以上説明したように、本発明によれば、内部を用紙が搬送され本体から引き出し可能なユニット内に、用紙ジャム検知用のセンサを配置すると共に、ユニットの前面にジャム個所を表示する表示灯を配置したので、操作表示部の表示でジャムを認識した後は、本体前面を開放してジャムが発生したユニットを取り出す際、ユニットの表示灯の表示でジャムを正確に把握することができ、効率的にジャム処理を行うことができる。
【００２２】
また２つのユニットにまたがって用紙が停止していれば、当然双方のユニットの表示灯がそれを表示するので、使用者が片側のユニットだけを引き抜くことによって用紙を破損させてしまうことを防ぐことができ、利便性が高まる。
【図面の簡単な説明】
【図１】本発明の実施の形態に係る画像形成装置のブロック構成図である。
【図２】ジャム検知・ジャム状態表示ユニットの回路図である。
【図３】前カバードアを開けた状態の画像形成装置の外観図である。
【図４】両面ユニットと定着ユニットの概略図である。
【符号の説明】
６　操作表示部
７　両面ユニット
８　定着ユニット
１０　センサ
１２　ＬＥＤ（表示灯）
１３　コンデンサ（バックアップ電源）
２０　本体
２１　前カバードア
【図１】
2004053845.tif 000003
【図２】
2004053845.tif 000004
【図３】
2004053845.tif 000005
【図４】
2004053845.tif 000006